(57)【要約】【課題】ディスクユニットの位置決めを正確に行うとともに、外部からの強い衝撃に対してディスクユニットを保護する。【解決手段】スロット５は、全３軸方向に対して衝撃及び振動の吸収効果を有するように配置された支持部６を介して本体筐体１に固定されている。スロット５には、ディスクユニット２を保持部へ維持するロック機構３が設けられており、また、このロック機構３は、バネ３１によりスロット５に固定されている。さらに、スロット５には接点端子（他図）が設けられており、ディスクユニット２がスロット５に装着された場合には、電気的な接続を実現する。【選択図】      図２
2005025877.tif 000002
【特許請求の範囲】
【請求項１】
着脱可能なディスクユニットを情報の記録媒体として収納するディスク装置において、
前記ディスク装置本体の内部に、ディスクユニットを収納するためのスロットを備えるとともに、前記スロットの外壁に、前記スロットを前記ディスク装置本体の内部に固定するための支持部を備えたことを特徴とするディスク装置。
【請求項２】
前記支持部は、前記ディスク装置本体に対して外部から加えられる衝撃を緩衝することができる緩衝部材を用いて構成されているとともに、全３軸方向に対して衝撃及び振動の吸収効果を有するように配置されていることを特徴とする請求項１記載のディスク装置。
【請求項３】
前記支持部は、前記スロットの上縁隅部と下縁隅部に接着されていることを特徴とする請求項１または請求項２記載のディスク装置。
【請求項４】
前記スロットに、前記着脱可能なディスクユニットを係留するためのロック機構を備えたことを特徴とする請求項１乃至３のいずれか１項に記載のディスク装置。
【請求項５】
前記ロック機構は、バネ部材により前記スロットに固定されていることを特徴とする請求項乃至４のいずれか１項に記載のディスク装置。
【請求項６】
前記スロットには、前記ディスクユニットが前記スロットに装着された場合に電気的な接続を果たすための接点端子が設けられていることを特徴とする請求項１乃至５のいずれか１項に記載のディスク装置。
【発明の詳細な説明】
【０００１】
【発明の属する技術分野】
本発明はディスク装置に係り、特に、着脱可能なディスクユニットを保持するとともに、外部からの衝撃を緩衝することができるディスク装置に関する。
【０００２】
【従来の技術】
従来のディスク装置には、記録媒体側のディスクユニットを着脱可能にしたものがあり、この着脱・緩衝機構としては、例えば図３に示すようなものがある。図３は、従来のディスク装置における着脱・緩衝機構の開口部から見た構造の１例を示す断面図である。
【０００３】
同図において、この従来のディスク装置の着脱・緩衝機構の本体をなす筐体９１内には、ディスクユニット９２の保持部を構成する開口形状があり、この開口形状を構成する保持部には、ディスクユニット９２を該保持部へ維持するためのロック機構９３が設けられている。また、このロック機構９３は、バネ９３１により筐体９１に固定され、ロック解除動作が可能となっている。
【０００４】
一方、この保持部の内部には接点端子９１１ａ，９１１ｂが設けられており、これにより、ディスクユニット９２との着脱を可能にしている。
なお、保持部を構成する開口形状内に、衝撃や振動の吸収を目的としてダンパー９４が設置されたものもある。
【０００５】
また、着脱可能なディスクユニットの緩衝方法としては、着脱可能なディスクユニットの外側に緩衝吸収シートを貼り付けるとともに、装置側のユニット収納内壁にも緩衝吸収シートを貼り付ける技術が開示されている（例えば、特許文献１参照。）。
【０００６】
【特許文献１】
特開２００１−１４８１８６号公報
【０００７】
【発明が解決しようとする課題】
しかしながら、上記従来のディスク装置の着脱・緩衝機構にあっては、本体筐体に、衝撃や振動が加わった場合について考慮されていなかったため、この衝撃や振動がディスクに対して直接伝達され、ディスクの動作障害や、破壊（ヘッドクラッシュ等）を引き起こすという問題点があった。
【０００８】
また、前述の特許文献１に開示された技術では、装置内壁とディスクユニット外側に緩衝材を貼り付けてはいるが、強い衝撃が加わった場合に、装置本体が変形することがあり、このため、ディスクユニットがディスク装置より飛び出してしまうという問題点があった。
【０００９】
本発明は、上記従来の問題点に鑑みてなされたものであって、ディスクユニットの位置決めを正確に行うとともに、外部からの強い衝撃に対してディスクユニットを保護することが可能なディスク装置を提供することを目的としている。
【００１０】
【課題を解決するための手段】
上記課題を解決するために、本発明に係るディスク装置は、着脱可能なディスクユニットを情報の記録媒体として収納するディスク装置において、前記ディスク装置本体の内部に、ディスクユニットを収納するためのスロットを備えるとともに、前記スロットの外壁に、前記スロットを前記ディスク装置本体の内部に固定するための支持部を備えたことを特徴とし、このような構成により、ディスクユニットの位置決めを正確に行うとともに、外部から前記ディスク装置本体に加えられる衝撃を緩和することができるディスク装置を実現している。
【００１１】
また、前記ディスク装置において、前記支持部は、前記ディスク装置本体に対して外部から加えられる衝撃を緩衝することができる緩衝部材を用いて構成されているとともに、全３軸方向に対して衝撃及び振動の吸収効果を有するように配置されていることを特徴とし、このような構成により、外部から前記ディスク装置本体に加えられる強い衝撃に対してディスクユニットを保護することができるディスク装置を実現している。
【００１２】
また、前記ディスク装置において、前記支持部は、前記スロットの上縁隅部と下縁隅部に接着されていることを特徴とし、このような構成により、前述の外部からの強い衝撃を緩衝する効果を一層高めるとともに、材料費の節約と、装置の軽量化とを同時に達成することができるディスク装置を実現している。
【００１３】
また、前記ディスク装置において、前記スロットに、前記着脱可能なディスクユニットを係留するためのロック機構を備えたことを特徴とし、このような構成により、ディスクユニットをスロットに保持するとともに、外部から前記ディスク装置本体に対して強い衝撃が加えられた時にも、ディスクユニットが外に飛び出すことのないディスク装置を実現している。
【００１４】
また、前記ディスク装置において、前記ロック機構は、バネ部材により前記スロットに固定されていることを特徴とし、このような構成により、ディスクユニットの着脱を容易に行うことができるディスク装置を実現している。
【００１５】
さらに、前記ディスク装置において、前記スロットには、前記ディスクユニットが前記スロットに装着された場合に電気的な接続を果たすための接点端子が設けられていることを特徴とし、このような一体構成により、前述の効果と相まって、外部から前記ディスク装置本体に対して強い衝撃が加えられた時にも、前記接点端子の位置ずれを防いで、情報の記録媒体である前記ディスクユニットから接続誤り無しで正確に情報を入出力することができるディスク装置を実現している。
【００１６】
【発明の実施の形態】
以下、本発明のディスク装置の実施の形態について、図面を参照して詳細に説明する。
【００１７】
図１は、本発明の実施形態に係るディスク装置の着脱・緩衝機構の構造を示す開口部から見た断面図である。
同図において、本実施形態のディスク装置は、その着脱・緩衝機構として、ディスク装置の本体を構成する筐体１と、着脱可能なディスクユニット２と、ディスクユニット２を保持するロック機構３と、ディスクユニット２を収納するスロット５と、衝撃及び振動の吸収効果を有する支持部６と、電気的な接続を担う接点端子１１と、ロック機構３をスロット５に固定するためのバネ３１とを備える。
【００１８】
スロット５の上縁隅部と下隅縁部と、ディスク装置筐体内部との間には、支持部６を設けるものとする。また、この支持部６は、緩衝部材を用いて構成するものとする。さらに、ディスクユニット２としては、大記憶装置用のディスク、フロッピィディスク、ＣＤ−ＲＯＭ、ＤＶＤ等の記憶媒体が可能である。
【００１９】
以下、本実施形態のディスク装置の機能について説明する。
図２は、本発明の実施形態に係るディスク装置の着脱・緩衝機構部分の構造を示す斜視図である。
同図に示すように、スロット５は、全３軸方向に対して衝撃及び振動の吸収効果を有するように配置された支持部６を介して本体筐体１に固定されている。この支持部６は、例えば、スロット５の上縁隅部と下縁隅部に接着して配置する構成とすることで、従来のディスク装置よりも衝撃に対する緩衝効果を一層高めることができる。
【００２０】
一方、スロット５には、ディスクユニット２を保持部へ維持するロック機構３が設けられており、また、このロック機構３は、バネ３１によりスロット５に固定されており、このような構造により、ディスクユニット２のロック解除動作を可能にしている。また、スロット５には接点端子１１が設けられており、ディスクユニット２がスロット５に装着された場合には、電気的な接続を実現する。
【００２１】
この実施形態によれば、着脱可能なディスユニット２が収納されるスロット５に、ディスクユニット２を保持するロック機構３と、ディスユニット２の着脱を可能にするバネ３１（バネ部材）、及び電気的な接続を担う部接点端子１１を、一体構造として設け、しかも、スロット５は、全３軸方向に対して衝撃及び振動の吸収効果を有するように配置された支持部６を介して本体筐体１に固定される構造としたので、ディスユニット２の着脱を可能にするとともに、ディスユニット２が装着された時のディスクユニットの位置決めを正確に行うことができる効果があり、しかも、外部からディスク装置本体（筐体１）に加えられる強い衝撃に対してディスクユニット２を保護することが可能となる効果がある。
【００２２】
また、この支持部６は、スロット５の上縁隅部と下縁隅部に接着したので、前述の外部からディスク装置本体（筐体１）に加えられる強い衝撃を緩衝する効果を一層高めるとともに、材料費の節約と、装置の軽量化とを同時に達成することができる効果がある。
【００２３】
また、このスロット５に、着脱可能なディスクユニット２を係留するためのロック機構３を設けたので、ディスクユニット２をスロット５に保持する効果とともに、外部からディスク装置本体（筐体１）に対して強い衝撃が加えられた時にも、ディスクユニット２が外に飛び出すことが防止される効果がある。
また、このロック機構３は、バネ３１によりスロット５に固定される構成としたので、ディスクユニット２の着脱を容易に行うことができる効果がある。
【００２４】
さらに、このスロット５には、ディスクユニット２がスロット５に装着された場合に電気的な接続を果たすための接点端子を設ける構成としたので、前述の効果により外部から前記ディスク装置本体に対して強い衝撃が加えられた時にも、前記接点端子の位置ずれが防止され、これにより、情報の記録媒体であるディスクユニット２から接続誤り無しで正確に情報を入出力することができる効果がある。
【００２５】
【発明の効果】
以上説明したように、本発明のディスク装置によれば、着脱可能なディスクユニットを情報の記録媒体として収納するディスク装置において、ディスク装置本体の内部に、ディスクユニットを収納するためのスロットを備えるとともに、スロットの外壁に、このスロットをディスク装置本体の内部に固定するための支持部を備える構成としたので、ディスクユニットの位置決めを正確に行うことができるとともに、外部からディスク装置本体に加えられる衝撃を緩和することができるディスク装置を提供することができる。
【００２６】
また、この支持部は、ディスク装置本体に対して外部から加えられる衝撃を緩衝することができる緩衝部材を用いて構成するとともに、全３軸方向に対して衝撃及び振動の吸収効果を有するように配置する構成としたので、外部からディスク装置本体に加えられる強い衝撃に対してディスクユニットを保護することができるディスク装置を提供することができる。
【００２７】
また、この支持部は、スロットの上縁隅部と下縁隅部に接着させる構成としたので、前述の外部からの強い衝撃を緩衝する効果を一層高めるとともに、材料費の節約と、装置の軽量化とを同時に達成することができるディスク装置を提供することができる。
【００２８】
また、このスロットに、着脱可能なディスクユニットを係留するためのロック機構を備える構成としたので、ディスクユニットをスロットに保持するとともに、外部からディスク装置本体に対して強い衝撃が加えられた時にも、ディスクユニットが外に飛び出すことのないディスク装置を提供することができる。
【００２９】
また、このロック機構は、バネ部材によりスロットに固定されるように構成したので、ディスクユニットの着脱を容易に行うことができるディスク装置を提供することができる。
【００３０】
さらに、このスロットには、ディスクユニットがスロットに装着された場合に電気的な接続を果たすための接点端子を設ける構成としたので、前述の効果により外部からディスク装置本体に対して強い衝撃が加えられた時にも、前記接点端子の位置ずれが防止され、これにより、情報の記録媒体であるディスクユニットから接続誤り無しで正確に情報を入出力することができるディスク装置を提供することができる。
【図面の簡単な説明】
【図１】本発明の実施形態に係るディスク装置の着脱・緩衝機構の構造を示す開口部から見た断面図である。
【図２】本発明の実施形態に係るディスク装置の着脱・緩衝機構部分の構造を示す斜視図である。
【図３】従来のディスク装置における着脱・緩衝機構の開口部から見た構造の１例を示す断面図である。
【符号の説明】
１  筐体（ディスク装置の本体筐体）
２  ディスクユニット
３  ロック機構
５  スロット
６  支持部
１１  接点端子（電気接続用端子）
３１  バネ
【図１】
2005025877.tif 000003
【図２】
2005025877.tif 000004
【図３】
2005025877.tif 000005